(57)【特許請求の範囲】
【請求項１】
第１および第２の充電回路を備え、各充電回路は、バッテリに接続可能である充電出力（ＣＨＧＯＵＴ）を有し、前記充電出力（ＣＨＧＯＵＴ）に電力を供給するための電圧レギュレータと、データ記憶装置に記憶されたバッテリ電圧しきい値と、前記バッテリ電圧しきい値と相対的な検出されたバッテリ電圧に基づいてバッテリ充電動作の充電状態を変更するよう動作可能であるコントローラとを備え、
前記第１の充電回路の前記充電出力（ＣＨＧＯＵＴ）は、前記第２の充電回路の前記充電出力（ＣＨＧＯＵＴ）に接続され、
前記第１の充電回路の前記バッテリ電圧しきい値は、前記第２の充電回路内における前記バッテリ充電動作が前記第１の充電回路内における前記バッテリ充電動作より前に終了するように、前記第２の充電回路の前記バッテリ電圧しきい値よりも高い値に設定され、
前記第１の充電回路内において、前記コントローラは、前記検出されたバッテリ電圧が前記第１の充電回路の前記バッテリ電圧しきい値を上回ったことに応答して前記バッテリ充電動作の前記充電状態を定電流充電状態から定電圧充電状態に変更するよう動作可能であり、
前記第２の充電回路内において、前記コントローラは、前記検出されたバッテリ電圧が前記第２の充電回路の前記バッテリ電圧しきい値を上回ったことに応答して前記バッテリ充電動作の前記充電状態を定電流充電状態から定電圧充電状態に変更するよう動作可能である、
バッテリ充電回路。
【請求項２】
前記第１の充電回路は、状態出力をさらに備え、前記第１の充電回路内における前記コントローラは、前記第１の充電回路がフォルトイベントを検出したことに応答して前記状態出力上において信号をアサートするよう動作可能であり、
前記第２の充電回路は、前記状態出力に接続された有効制御入力をさらに有し、前記第２の充電回路内における前記コントローラは、前記有効制御入力上においてアサートされた信号に応答して前記第２の充電回路内における充電動作を無効にするよう動作可能であり、
それによって、前記第１の充電回路によって検出されたフォルトイベントは、前記第２の充電回路内において前記充電動作を無効にすることができる、
請求項１に記載の回路。
【請求項３】
前記第１および第２の充電回路の各々内における前記電圧レギュレータは、バックコンバータを備える、
請求項１に記載の回路。
【請求項４】
少なくとも前記第２の充電回路の前記電圧レギュレータは、前記電圧レギュレータの出力に接続された電界効果トランジスタ（ＦＥＴ）デバイスを備え、前記充電出力（ＣＨＧＯＵＴ）は、前記ＦＥＴデバイスの出力である、
請求項１に記載の回路。
【請求項５】
前記第１および第２の充電回路内において、前記バッテリ充電動作は、定電流充電状態および定電圧充電状態を含む、
請求項１に記載の回路。
【請求項６】
前記第１および第２の充電回路は各々、前記バッテリ充電回路に接続された前記バッテリの電圧レベルを感知するよう動作可能である電圧センサをさらに備える、
請求項１に記載の回路。
【請求項７】
第１および第２の充電回路を備えるバッテリ充電回路を使用するバッテリ充電方法であって、各充電回路は、バッテリに接続可能である充電出力（ＣＨＧＯＵＴ）を有し、電圧レギュレータおよびコントローラを備え、前記方法は、
前記電圧レギュレータによって、前記充電出力（ＣＨＧＯＵＴ）に電力を供給することと、
データ記憶装置にバッテリ電圧しきい値を記憶することと、
前記コントローラによって、前記バッテリ電圧しきい値と相対的な検出されたバッテリ電圧に基づいてバッテリ充電動作の充電状態を変更すること、前記第１の充電回路の前記充電出力（ＣＨＧＯＵＴ）は、前記第２の充電回路の前記充電出力（ＣＨＧＯＵＴ）に接続され、前記第１の充電回路の前記バッテリ電圧しきい値は、前記第２の充電回路内における前記バッテリ充電動作が前記第１の充電回路内における前記バッテリ充電動作より前に終了するように、前記第２の充電回路の前記バッテリ電圧しきい値よりも高い値に設定される、と、
前記第１の充電回路内において、前記コントローラによって、前記検出されたバッテリ電圧が前記第１の充電回路の前記バッテリ電圧しきい値を上回ったことに応答して前記バッテリ充電動作の前記充電状態を定電流充電状態から定電圧充電状態に変更することと、
前記第２の充電回路内において、前記コントローラによって、前記検出されたバッテリ電圧が前記第２の充電回路の前記バッテリ電圧しきい値を上回ったことに応答して前記バッテリ充電動作の前記充電状態を定電流充電状態から定電圧充電状態に変更することと
を備える、バッテリ充電方法。
【請求項８】
前記第１の充電回路は、状態出力をさらに備え、前記第２の充電回路は、前記状態出力に接続された有効制御入力をさらに有し、前記方法は、
前記第１の充電回路内における前記コントローラによって、前記第１の充電回路がフォルトイベントを検出したことに応答して前記状態出力上において信号をアサートすることと、
前記第２の充電回路内における前記コントローラによって、前記有効制御入力上においてアサートされた信号に応答して前記第２の充電回路内における充電動作を無効にすることと
をさらに備え、それによって、前記第１の充電回路によって検出されたフォルトイベントは、前記第２の充電回路内において前記充電動作を無効にすることができる、
請求項７に記載の方法。
【請求項９】
前記第１および第２の充電回路の各々内における前記電圧レギュレータは、バックコンバータを備える、
請求項７に記載の方法。
【請求項１０】
少なくとも前記第２の充電回路の前記電圧レギュレータは、前記電圧レギュレータの出力に接続された電界効果トランジスタ（ＦＥＴ）デバイスを備え、前記充電出力（ＣＨＧＯＵＴ）は、前記ＦＥＴデバイスの出力である、
請求項７に記載の方法。
【請求項１１】
前記第１および第２の充電回路内において、前記バッテリ充電動作は、定電流充電状態および定電圧充電状態を含む、
請求項７に記載の方法。
【請求項１２】
前記第１および第２の充電回路は各々、電圧センサをさらに備え、前記方法は、
前記電圧センサによって、前記バッテリ充電回路に接続された前記バッテリの電圧レベルを感知すること
をさらに備える、
請求項７に記載の方法。
【発明の詳細な説明】
【関連出願の相互参照】
【０００１】
[0001]本願は、２０１４年４月１１日に出願された米国特許出願第１４／２５１，２０６号の優先権を主張するが、それは、２０１３年１０月２９日に出願された米国特許出願第１４／０６５，７５２号の一部継続出願であり、それは同様に、２０１３年５月２４日に出願された米国特許仮出願第６１／８２７，４４３号の出願日の利益を受ける権限があり、かつ同利益を主張するものであり、それらの全ての内容は、全ての目的のためにその全体が参照により本明細書において組み込まれる。
【背景技術】
【０００２】
[0002]本明細書において別途示されない限り、このセクション内において説明されるアプローチは、本願内における特許請求の範囲に対する先行技術ではなく、このセクション内における包含によって先行技術であると認められるものではない。
【０００３】
[0003]モバイル計算デバイス（例えば、スマートフォン、コンピュータタブレット、等）がより幅広く使用され続けるにつれて、バッテリの高速充電の必要性は、より有意となっている。高速バッテリ充電技法における進歩は、高速充電シーケンス中に生じる高温によって妨げられている。ほとんどのケースにおいて、高温は、高インダクタ温度によって引き起こされるが、それは、充電回路の温度を上回りかねない。
【発明の概要】
【０００４】
[0004]本開示は、第１の充電回路および第２の充電回路を備えるバッテリ充電回路について説明する。充電回路の充電出力は、ともに接続され、充電のためにバッテリに接続可能でありうる。第１の充電回路は、第２の充電回路内におけるバッテリ充電動作が第１の充電回路内におけるバッテリ充電動作より前に終了することができるように、第２の充電回路のものよりも高いバッテリしきい値電圧で構成されうる。
【０００５】
[0005]以下の詳細な説明および添付の図面は、本開示の性質および利点のより良い理解を提供する。
【図面の簡単な説明】
【０００６】
[0006]以下に続く論述および特に図面に関して、示される詳細は、例示的な論述の目的のために例を提示し、本開示の原理の説明および概念的な態様を提供するために提示されることが強調される。この点に関して、本開示の根本的な理解のために必要とされるものを超える実装の詳細を示すための試みは行われない。図面と連動した、以下に続く論述は、本開示にしたがった実施形態がどのように実施されうるかを当業者に明らかにする。添付の図面は以下の通りである。
【図１】本開示のプリント回路基板（ＰＣＢ）レベルの実施形態を示す。
【図１Ａ】本開示にしたがった追加の例示的な実施形態を示す。
【図１Ｂ】本開示にしたがった追加の例示的な実施形態を示す。
【図２】本開示にしたがった充電回路の概観を示す。
【図３】本開示にしたがった充電回路の単相構成を示す。
【図４Ａ】本開示にしたがった充電回路の二相構成を示す。
【図４Ｂ】本開示にしたがった充電回路の二相構成を示す。
【図５Ａ】本開示にしたがった充電回路の三相構成を示す。
【図５Ｂ】本開示にしたがった充電回路の三相構成を示す。
【図５Ｃ】本開示にしたがった充電回路の三相構成を示す。
【図６】本開示にしたがったマスターオンリー充電回路の実装の例を例示する。
【図７】本開示にしたがったスレーブオンリー充電回路の実装の例を例示する。
【図８Ａ】デュアル入力マスタースレーブ構成に関する実施形態を例示する。
【図８Ｂ】デュアル入力マスタースレーブ構成に関する実施形態を例示する。
【図８Ｃ】デュアル入力マスタースレーブ構成に関する実施形態を例示する。
【図９】デュアル入力マスターに関する実施形態を例示する。
【図１０】本開示にしたがったプリント回路基板（ＰＣＢ）レベルの実施形態を示す。
【図１０Ａ】本開示にしたがったプリント回路基板（ＰＣＢ）レベルの実施形態を示す。
【図１１】本開示にしたがった充電回路の詳細を例示する。
【図１１Ａ】本開示にしたがった充電回路の詳細を例示する。
【図１２】本開示にしたがったバッテリ充電回路を示す。
【図１３Ａ】本開示にしたがったバッテリ充電動作を例示する。
【図１３Ｂ】本開示にしたがったバッテリ充電動作を例示する。
【図１３Ｃ】本開示にしたがったバッテリ充電動作を例示する。
【図１３Ｄ】本開示にしたがったバッテリ充電動作を例示する。
【詳細な説明】
【０００７】
[0021]以下の説明において、説明の目的ために、本開示の完全な理解を提供するために数多くの例および特定の詳細が記載される。しかしながら、特許請求の範囲内において表される本開示が、これらの例における特徴のうちのいくつかまたは全てを、単独でまたは下記において説明される他の特徴と組み合わせて含み、本願明細書において説明される特徴および概念の修正および同等物をさらに含みうることは、当業者にとって明らかとなるであろう。
【０００８】
[0022]図１は、本開示にしたがったバッテリ充電デバイスを配置したプリント回路基板（ＰＣＢ）１０の一部を示す。ＰＣＢ１０は、例えば、モバイル計算デバイス、スマートフォン、および一般に任意の電子デバイス内における回路基板でありうる。ＰＣＢ１０は、バッテリ充電デバイス１０２、１０２ａ、および１０２ｂを配置しうる。より少ないまたはより多いバッテリ充電デバイスが提供されうることが以下に続く論述内において認識されるであろう。バッテリ充電デバイス１０２、１０２ａ、１０２ｂの各々は、任意の適した集積回路（ＩＣ）パッケージング形式（例えば、シングルインラインパッケージング、デュアルインラインパッケージング、表面実装デバイス、等）で具現化され、ＰＣＢ１０上において相互接続されうる。
【０００９】
[0023]いくつかの実装形態において、バッテリ充電デバイス１０２、１０２ａ、１０２ｂは、動作の異なるモードのために構成されることができる同一デバイスである。例えば、デバイス１０２は、「マスター」モード動作のために構成されうるが、その一方でデバイス１０２ａ、１０２ｂは、「スレーブ」モード動作のために構成されうる。バッテリ充電デバイス１０２、１０２ａ、１０２ｂは、デバイスに、概して１２で表された、ＰＣＢ配線（trace）を使用してＰＣＢ１０上において相互接続されることを可能にする（示されていない）ピンまたは端子を含みうることが理解されるであろう。
【００１０】
[0024]本開示の原理にしたがって、バッテリ充電デバイス１０２、１０２ａ、１０２ｂは、バッテリ充電デバイスによるバッテリの協調充電（coordinated charging）のために接続部２４（例えば、バッテリ端子）を介してバッテリ２２に接続されうる。バッテリ２２は、１つまたは複数のセルの任意の知られる構成（例えば、単一セル構成、マルチセル、マルチスタック構成、等）を備え、再充電を可能にする任意の適した化学的性質（chemistry）を使用しうる。
【００１１】
[0025]いくつかの実施形態において、バッテリ充電デバイス１０２、１０２ａ、１０２ｂは、バックコンバータ（buck converter）として動作し、他の実施形態において、バッテリ充電デバイスは、バックブーストコンバータ（buck-boost converter）を備えうる。いくつかの実施形態において、バックコンバータの誘導コンポーネントは、ＰＣＢ１０上において提供された外部の誘導エレメント１４として提供されうる。それ故に、各バッテリ充電デバイス１０２、１０２ａ、１０２ｂは、インダクタのような、対応する外部の誘導エレメント１４に接続されうる。誘導エレメント１４は、バッテリ充電デバイス１０２、１０２ａ、１０２ｂを備える充電ＩＣの一部ではないという点において「外部」である。本開示にしたがって、バックコンバータの容量コンポーネントは、各バッテリ充電デバイス１０２、１０２ａ、１０２ｂによって共有されることができるＰＣＢ１０上において外部の容量エレメント１６として提供されうる。容量エレメント１６は、バッテリ充電デバイス１０２、１０２ａ、１０２ｂを備える充電ＩＣの一部ではないという点において「外部」である。
【００１２】
[0026]さらに本開示にしたがって、各バッテリ充電デバイス１０２、１０２ａ、１０２ｂは、マスターまたはスレーブモード動作のためにデバイスを構成するよう対応する外部の選択インジケータ（selection indicator）１８に接続されうる。各選択インジケータ１８は、デバイスを備える充電ＩＣの一部ではないという点において「外部」である。いくつかの実施形態において、選択インジケータ１８は、抵抗エレメントでありうる。例えば、接地電位（例えば、およそ０Ω）への接続は、デバイス（例えば、１０２）はマスターモードで動作すべきであると示す役割を果たしうる。非ゼロ抵抗値（例えば、１０ＫΩ、１００ＫΩ、等）は、デバイス（例えば、１０２ａ、１０２ｂ）はスレーブモードで動作すべきであると示す役割を果たしうる。より一般的には、他の実施形態において、選択インジケータ１８は、マスターモードまたはスレーブモードで動作するかどうかをデバイス１０２、１０２ａ、１０２ｂに示す役目をすることができる、適したアナログ信号またはデジタル信号のソースでありうる。
【００１３】
[0027]バッテリ充電デバイス１０２、１０２ａ、１０２ｂに対する電力は、任意の適したコネクタ２６を介して外部から供給されうる。単に例として、コネクタ２６は、ＵＳＢコネクタでありうる。ＵＳＢコネクタのＶＢＵＳ線からの電力は、（例えば、ＵＳＢＩＮ端子において）デバイス１０２に接続されうるが、デバイス１０２は、その後、ＭＩＤＵＳＢＩＮ端子を介して他のデバイス１０２ａ、１０２ｂに電力を分配しうる。これらおよび他の端子は、下記においてより詳細に説明される。
【００１４】
[0028]当業者は、本開示にしたがった実施形態が任意の電子デバイスを含みうることを認識するであろう。例えば、図１Ａは、ＰＣＢ１０がバッテリ２２を充電するために任意の電子デバイス５０内に組み込まれうることを指摘する。図１Ｂは、第２の電子デバイス内においてバッテリ２２を充電するために第２の電子デバイス５６への接続５４を有する第１の電子デバイス５２内においてＰＣＢ１０が提供されうる別の構成を例示する。いくつかの実施形態において、接続５４は、物理的でない可能性があり、例えば、デバイス５２からのワイヤレスエネルギー転送は、（示されていない）磁気誘導回路を使用して供給されうる。
【００１５】
[0029]これから論述は、本開示のいくつかの実施形態にしたがったバッテリ充電デバイス１０２の詳細へと移る。図２は、バッテリ充電デバイス１０２の簡略化された概略図を示す。いくつかの実施形態において、バッテリ充電デバイス１０２は、充電ＩＣ２０２を備えうる。いくつかの実装において、充電ＩＣの設計が２つ以上のＩＣ上において実装されうることが認識されるであろう。論述の目的のために、しかしながら、一般性を失うことなしに単一の充電ＩＣの実装を仮定することができる。
【００１６】
[0030]充電ＩＣ２０２は、本開示の原理にしたがったバッテリ充電機能を提供するために回路を備える。いくつかの実施形態において、例えば、バッテリ充電機能は、バックコンバータ、またはバックブーストコンバータ、等を使用して提供されうる。それ故に、充電ＩＣ２０２は、誘導エレメント１４および容量エレメント１６と連動したバックコンバータトポロジで構成されることができるハイサイドＦＥＴ２１４ａおよびローサイドＦＥＴ２１４ｂを含みうる。
【００１７】
[0031]パルス幅変調された（ＰＷＭ）ドライバ回路は、それぞれのＦＥＴ２１４ａおよび２１４ｂのゲートを切り替えるためにその切り替え出力においてゲートドライブ信号（ＨＳ、ＬＳ）を生成しうる。ＰＷＭドライバ回路は、ＦＥＴ２１４ａおよび２１４ｂの切り替えを制御するためにその制御入力において電流モード制御信号を、およびそのクロック入力においてクロック信号を受信しうる。バックコンバータからの電力（Ｖｐｈ＿ｐｗｒ）は、充電ＩＣ２０２のＶＳＹＳおよびＣＨＧＯＵＴ端子を介してバッテリＦＥＴ２２２を通してバッテリ２２を充電するよう接続されうる。バッテリＦＥＴ２２２は、（例えば、充電電流感知回路を使用して）充電電流をモニタする役割を果たしうる。
【００１８】
[0032]本開示に原理にしたがって、制御信号は、充電ＩＣ２０２内において内部で生成されうるか、または充電ＩＣに外部から供給されうる。例えば、様々なフィードバック制御ループおよび比較器２１６を備えるフィードバック補償ネットワークは、内部で生成された制御信号のソースとしての役割を果たしうる。特定の実施形態において、フィードバック制御ループは、（例えば、ＵＳＢＩＮにおいて入力電力を感知する）入力電流感知回路、（例えば、バッテリＦＥＴ２２２を使用するＶＳＹＳおよびＣＨＧＯＵＴ端子において電流を感知する）充電電流感知回路、（例えば、ＶＳＹＳ端子において電圧を感知する）システム電圧感知回路、（例えば、ＶＢＡＴＴ端子においてバッテリ電圧を感知する）バッテリ電圧感知回路、および（例えば、ＴＨＥＲＭ端子においてバッテリ温度を感知する）バッテリ温度感知回路を含みうる。他の実施形態において、フィードバック制御ループは、より少ない、または追加の、感知回路を備えうる。比較器２１６は、内部で生成された制御信号としての役割を果たす基準を生成しうる。
【００１９】
[0033]比較器２１６によって生成された制御信号は、制御信号が充電ＩＣ２０２を備える回路によって生成されるという点において「内部」である。比較すると、制御信号は、例えば、充電ＩＣのＣＯＮＴＲＯＬ端子を介して、信号が充電ＩＣ２０２の外部に存在するソースから受信される場合に「外部から」供給されると考慮される。いくつかの実施形態において、制御セレクタ２１６ａは、ＰＷＭドライバ回路に対する制御信号としての役割を果たすために、比較器２１６によって生成された内部の制御信号またはＣＯＮＴＲＯＬ端子上において受信される外部で生成された制御信号のいずれかを選択するよう提供されうる。
【００２０】
[0034]本開示の原理にしたがって、クロック信号は、充電ＩＣ２０２内において内部で生成されうるか、または充電ＩＣに外部から供給されうる。例えば、充電ＩＣ２０２は、クロック信号（クロックアウト）を生成するためのクロック生成器２１８を含みうる。クロック生成器２１８は、クロック生成回路２１８ａおよび遅延エレメント２１８ｂを含みうる。クロック生成回路２１８ａは、内部で生成されたクロック信号としての役割を果たすクロック信号を生成しうる。遅延エレメント２１８ｂは、外部から供給されたクロック信号を受信しうる。
【００２１】
[0035]クロック生成回路２１８ａによって生成されたクロック信号は、クロック信号が充電ＩＣ２０２を備える回路、すなわちクロック生成回路によって生成されるという点において「内部」である。比較すると、クロック信号は、例えば、充電ＩＣのＣＬＫ端子を介して、信号が充電ＩＣ２０２の外部に存在するソースから受信される場合に「外部から」供給されると考慮される。いくつかの実施形態において、クロックセレクタ２１８ｃは、ＰＷＭドライバ回路に対するクロック信号としての役割を果たすために、クロック生成回路２１８ａによって生成された内部のクロック信号またはＣＬＫ端子上において供給される外部のクロック信号のいずれかを選択するよう提供され、遅延エレメント２１８ｂによって遅延（位相シフト）されうる。
【００２２】
[0036]充電ＩＣ２０２は、充電ＩＣのＳＥＬ入力上において提供された外部選択インジケータ１８にしたがって「マスター」モードまたは「スレーブ」モードで動作するよう充電ＩＣを構成するためにセレクタ回路２１２を含みうる。選択インジケータ１８は、回路、またはアナログ信号のソース（例えば、アナログ信号生成器）あるいはデジタル信号のソース（例えば、デジタル論理）でありうる。いくつかの実施形態において、例えば、選択インジケータ１８は、直接または抵抗エレメントを通してのいずれかの、接地電位への電子接続でありうる。セレクタ回路２１２は、選択インジケータ１８にしたがって制御セレクタ２１６ａおよびクロックセレクタ２１８ｃを動作させうる。セレクタ回路２１２はまた、選択インジケータ１８にしたがって電流入力の感知を有効または無効にするためにスイッチ２２０を動作させうる。
【００２３】
[0037]本開示にしたがって、充電ＩＣ２０２は、単相スタンドアローンデバイスとして構成されうるか、または多相構成内において使用されうる。本論述はまず、単相構成について説明する。図３は、スタンドアローンバッテリ充電器として動作するよう構成された充電ＩＣ２０２の例を例示する。充電ＩＣ２０２は、マスターモードで動作するようＳＥＬ入力を使用して構成されうる。いくつかの実施形態において、充電ＩＣ２０２内におけるマスターモード動作は、接地電位へのＳＥＬ入力の接続を備える選択インジケータ１８によって指定されうる。マスターモード動作を指定するためのこの慣例（convention）は、他の実施形態において、他の慣例がマスターモード動作を示すために採用されうるという理解のもと、本開示の残りの箇所に対して使用される。
【００２４】
[0038]実施形態において、セレクタ２１２は、マスターモード動作のために充電ＩＣ２０２を構成することによってＳＥＬ入力における接地接続の存在に応答するよう構成されうる。例えば、セレクタ２１２は、ＰＷＭドライバ回路の制御入力に内部で生成された制御信号を供給するために第１の構成内において制御セレクタ２１６ａを動作させうる。内部で生成された制御信号はまた、充電ＩＣ２０２のＣＯＮＴＲＯＬ端子に供給されるが、それは、図３内において示される単相構成とは関係ない。
【００２５】
[0039]同様に、セレクタ２１２は、ＰＷＭドライバ回路のクロック入力に（例えば、クロック生成回路２１８ａを介して）内部で生成されたクロック信号を供給するために第１の構成内においてクロックセレクタ２１８ｃを動作させうる。内部で生成されたクロック信号はまた、充電ＩＣ２０２のＣＬＫ端子に供給されるが、それは、図３内において示される単相構成とは関係ない。セレクタ２１２はまた、電力入力ＵＳＢＩＮ上において入力電流感知を可能にする構成に対するスイッチ２２０を動作させうる。
【００２６】
[0040]動作において、図３内において示されるマスターモード構成の充電ＩＣ２０２は、バッテリ２２を充電するためにバックコンバータとして動作する。ＰＷＭドライバ回路に対するフィードバック制御は、充電ＩＣ２０２を備える回路によって提供され、同様に、回路に対するクロック信号は、充電ＩＣ内から供給される。構成は、１つの充電ＩＣしか存在しないという点において「スタンドアローン」構成である。
【００２７】
[0041]これから論述は、本開示にしたがった充電ＩＣ２０２の多相構成、特に二相構成の例の説明へと移る。二相構成において、２つの充電ＩＣ２０２は、バッテリ２２を充電するためにともに接続され、動作する。充電ＩＣ２０２のうちの１つは、マスターデバイスとして、もう一方はスレーブデバイスとして構成されうる。図４Ａおよび４Ｂは、それぞれマスターデバイスとしておよびスレーブデバイスとして動作するよう構成された充電ＩＣ２０２ａおよび２０２ｂの例を示す。充電ＩＣ２０２ａ、２０２ｂは、接続部Ａ、Ｂ、Ｃ、Ｄ、Ｅ、Ｆ、およびＧにおいてともに接続される。結果として生じる電流フローは、フロー４２２として図４Ａおよび４Ｂ内において例示される。
【００２８】
[0042]図４Ａ内において示される充電ＩＣ２０２ａは、図３内において説明されるようにマスターモード動作のために構成される。本開示にしたがって、充電ＩＣ２０２ａ内における比較器２１６によって生成された制御信号は、充電ＩＣ内におけるＰＷＭドライバ回路のために、内部で生成された制御信号としての役割を果たすことに加えて、（例えば、ＣＯＮＴＲＯＬ端子を介して）外部で生成された制御信号４０２として供給される。同様に、クロック生成器２１８によって生成されたクロック信号は、充電ＩＣ２０２ａ内におけるＰＷＭドライバ回路のために、内部で生成されたクロック信号としての役割を果たすことに加えて、（例えば、ＣＬＫ端子を介して）外部で生成されたクロック信号４０４として供給される。
【００２９】
[0043]図４Ｂを参照すると、充電ＩＣ２０２ｂは、スレーブモード動作のために構成される。充電ＩＣ２０２ｂは、スレーブモードで動作するようＳＥＬ入力を使用して構成されうる。いくつかの実施形態において、スレーブモード動作は、抵抗エレメントを備える選択インダクタ１８によって指定されうる。スレーブモード動作を指定するためのこの慣例は、他の実施形態において、他の慣例がスレーブモード動作を示すために採用されうるという理解のもと、本開示の残りの箇所に対して使用される。特定の実施形態において、例えば、１０Ｋ抵抗器は、スレーブモード動作を示すために使用されうる。別の抵抗値が使用されうることは、もちろん認識されるであろう。セレクタ２１２は、スレーブモード動作のために充電ＩＣ２０２ｂを構成することによってＳＥＬ入力における１０ＫΩ抵抗の検出に応答するよう構成されうる。
【００３０】
[0044]スレーブモード動作において、セレクタ２１２は、充電ＩＣ２０２ｂのＣＯＮＴＲＯＬ端子上において受信される外部で生成された制御信号４０２を受信するために第２の構成内において制御セレクタ２１６ａを動作させうる。制御セレクタ２１６ａは、ＰＷＭドライバ回路の制御入力に外部で生成された制御信号４０２を供給する。第２の構成内における制御セレクタ２１６ａの動作は、ＰＷＭドライバ回路から充電ＩＣ２０２ｂ内におけるフィードバックネットワークの接続を切断するか、またはそうでなければ効果的に無効にする。この「切断された接続」は、グレーに塗りつぶされた破線を使用して充電ＩＣ２０２ｂ内におけるフィードバックネットワークのエレメントを例示することによって本図面内において強調される。
【００３１】
[0045]充電２０２ｂ内におけるセレクタ２１２はまた、ＣＬＫ端子上において外部で生成されたクロック信号４０４を受信するために第２の構成内においてクロックセレクタ２１８ｃを動作させうる。クロックセレクタ２１８ｃは、遅延エレメント２１８ｂに外部で生成されたクロック信号４０４を供給する。ＰＷＭドライバ回路に供給されたクロック信号は、遅延エレメント２１８ｂからのものであり、したがって、充電ＩＣ２０２ｂ内におけるクロック生成回路２１８ａの接続を切断するか、またはそうでなければ効果的に無効にする。
【００３２】
[0046]スイッチ２２０は、充電ＩＣ２０２ｂのＵＳＢＩＮ端子における電流感知を無効にするよう（例えば、セレクタ２１２によって）構成されうる。ハイおよびローサイドＦＥＴ２１４ａ、２１４ｂへの電力は、接続部Ｂを介してＭＩＤＵＳＢＩＮ端子によって供給されうる。同様に、スレーブ構成の充電ＩＣ２０２ｂ内における充電電流感知は、そのバッテリＦＥＴ２２２を無効にすることによって無効にされうる。
【００３３】
[0047]前述の説明から認識されることができるように、スレーブモード充電ＩＣ２０２ｂ内におけるＰＷＭドライバ回路の動作は、マスターモード充電ＩＣ２０２ａ内において生成され、それぞれ外部で生成された制御およびクロック信号４０２、４０４としてスレーブモード充電ＩＣ２０２ｂに供給される制御信号およびクロック信号によって制御される。スレーブモード充電ＩＣ２０２ｂの観点からすれば、マスターモード充電ＩＣ２０２ａ内において生成された制御およびクロック信号は、「外部で生成された」と見なされる。
【００３４】
[0048]マスターモード充電ＩＣ２０２ａは、ＦＥＴＤＲＶ端子上において信号をアサートすることによってスレーブモード充電ＩＣ２０２ｂと同期しうる。例えば、マスターモード充電ＩＣ２０２ａがＦＥＴＤＲＶ端子ＬＯをプル（pull）する場合、スレーブモード充電ＩＣ２０２ｂ内におけるＰＷＭドライバ回路は、無効にされる。マスターモード充電ＩＣ２０２ａがＦＥＴＤＲＶ端子ＨＩをプルする場合、スレーブモード充電ＩＣ２０２ｂ内におけるＰＷＭドライバ回路は、切り替えを開始する。いくつかの実施形態において、ＦＥＴＤＲＶ端子は、軽負荷および重負荷効率のバランスを取るために、入力電流がしきい値を超えた後にスレーブモード充電ＩＣ２０２ｂ内において切り替えを開始するようマスターモード充電ＩＣ２０２ａによって使用されうる。例えば、軽負荷における切り替え損失は、低下した伝導損失を上回りかねないが、それは、すぐにスレーブモード充電ＩＣ２０２ｂを有効にしないことによって避けることができる。有効後、スレーブモード充電ＩＣ２０２ｂは、マスターモード充電ＩＣ２０２ａからのクロック信号と同期して動作するであろう。スレーブモード充電ＩＣ２０２ｂ内におけるＰＷＭドライバ回路の制御は、マスターモード充電ＩＣ２０２ａからの制御信号によって提供され、したがって、マスターに、充電電流限界値、入力電流限界値、等を設定することを可能にするであろう。
【００３５】
[0049]本開示にしたがって、遅延エレメント２１８ｂは、二相動作に適した選択可能である位相シフトを提供するよう（例えば、セレクタ２１２によって）構成されうる。例えば、遅延エレメント２１８ｂは、外部で生成されたクロック信号４０４の１８０度の位相シフトを提供しうる。それ故に、スレーブモード充電ＩＣ２０２ｂ内におけるＰＷＭドライバ回路のクロック入力に供給されるクロック信号は、マスターモード充電ＩＣ２０２ａ内におけるクロック信号と比較して位相が１８０度ずれている。その結果として、マスターモード充電ＩＣ２０２ａの充電サイクルは、スレーブモード充電ＩＣ２０２ｂの充電サイクルと比較して位相が１８０度ずれているであろう。例えば、ハイサイドＦＥＴ２１４ａがマスターデバイス内においてＯＮである場合、スレーブデバイス内におけるハイサイドＦＥＴは、ＯＦＦであり、その逆もまた然りである。
【００３６】
[0050]これから論述は、本開示にしたがった充電ＩＣ２０２の三相構成の説明へと移る。三相構成において、３つの充電ＩＣ２０２は、バッテリ２２を充電するためにともに接続され、動作する。充電ＩＣ２０２のうちの１つは、マスターデバイスとして、他方の２つは、スレーブデバイスとして構成されうる。図５Ａ〜５Ｃは、それぞれ、マスターデバイス、第１のスレーブデバイス、および第２のスレーブデバイスとして動作するよう構成された実例的な充電ＩＣ２０２ａ、２０２ｂ、および２０２ｃを示す。充電ＩＣ２０２ａ、２０２ｂ、２０２ｃは、接続部Ａ１、Ｂ１、Ｃ１、Ｄ１、Ｅ１、Ｆ１、およびＧ１と、接続部Ａ２、Ｂ２、Ｃ２、Ｄ２、Ｅ２、Ｆ２、およびＧ２とにおいて接続される。
【００３７】
[0051]図５Ａ内におけるマスターデバイスは、図４Ａに関連して説明されたように構成される。（図５Ｂおよび５Ｃの）第１および第２のスレーブデバイスは、図４Ｂに関連して説明されたように構成される。三相動作において、第１および第２のスレーブデバイス内における遅延エレメント２１８ｂは、それぞれのＰＷＭドライバ回路に対するクロック入力として外部で生成されたクロック信号４０４の、それぞれ、１２０度および２４０度の位相シフトを提供するよう構成されうる。例えば、図５Ｂの第１のスレーブデバイス内における選択インジケータ１８は、１２０度の位相シフトを示す１００Ｋ抵抗器であり、同様に、図５Ｃの第２のスレーブデバイス内における選択インジケータ１８は、２４０度の位相シフトを示す１Ｍ抵抗器でありうる。他の抵抗値が使用されうることは、もちろん認識されるであろう。動作において、（図５Ａの）マスターデバイスの充電サイクルは、（図５Ｂの）第１のスレーブデバイスの充電サイクルと比較して位相が１２０度ずれ、（図５Ｃの）第２のスレーブデバイスの充電サイクルと比較して位相が２４０度ずれるであろう。
【００３８】
[0052]より一般的には、Ｎ相動作が図面内において示される例にしたがってＮ個の充電ＩＣ（１つのマスターデバイスおよび（Ｎ−１の）スレーブデバイス）を使用し、それらを接続して提供されうることは認識されるであろう。（Ｎ−１の）スレーブデバイスの各々は、外部で生成された制御信号４０２および外部で生成されたクロック信号４０４をマスターデバイスから受信する。いくつかの実施形態において、ｍ番目のスレーブデバイスは、そのＰＷＭドライバ回路に対するクロック入力として外部で生成されたクロック信号４０４のｍ×（３６０÷Ｎ）度の位相シフトを（例えば、遅延エレメント２１８ｂを使用して）提供するように（例えば、適した選択インジケータ１８を使用して）構成されうる。いくつかの実施形態において、量（ｍ÷Ｎ）は、３６０の整数倍である。
【００３９】
[0053]これから論述は、本開示にしたがった充電ＩＣの別の実施形態へと移る。いくつかの実施形態において、充電ＩＣは、マスターオンリーデバイスとして実装されうる。言い換えれば、充電ＩＣは常に、マスターモードで動作し、スレーブモードとして動作するよう構成可能ではない。図６は、例えば、他のコンポーネントの中でもとりわけ、比較器６１６にフィードするいくつかのセンサコンポーネント（例えば、入力電流感知、充電電流感知、等）をそなえるフィードバックネットワークを備える充電ＩＣ６０２を示す。比較器出力は、ＰＷＭドライバ回路の制御入力にフィードする内部で生成された制御信号を生成し、それは、ＣＯＮＴＲＯＬ端子において出力される外部で生成された制御信号６２２としての役割を果たす。充電ＩＣ６０２はさらに、内部で生成されたクロック信号を生成するクロック信号を生成するクロック６１８を備え、それは、ＰＷＭドライバ回路のクロックインにフィードし、それは、ＣＬＫ端子において出力される外部で生成されたクロック信号６２４としての役割を果たす。充電ＩＣのこの特定の実施形態は常に、その内部で生成された制御およびクロック信号を使用し、常にそれぞれ外部で生成された制御およびクロック信号としてそれらの信号を出力する。そのため、充電ＩＣ６０２は、より小さく、より低コストなデバイスを実現するために、セレクタ２１２と、セレクタ２１６ａ、２１８ｂ、および２２０と、遅延エレメント２１８ｂとを省略することができる。
【００４０】
[0054]いくつかの実施形態において、充電ＩＣは、スレーブオンリーデバイスとして実装されうる。図７は、例えば、（例えば、ＣＯＮＴＲＯＬ端子から）外部で生成された制御信号７２２のみを受信する制御入力を有するＰＷＭドライバ回路を備える充電ＩＣ７０２を示す。ＰＷＭドライバ回路はさらに、（例えば、ＣＬＫ端子から）外部で生成されたクロック信号７２４のみを受信するクロック入力を有する。セレクタ７１２は、選択インジケータ１８にしたがって外部で生成されたクロック信号７２４の位相シフティングを提供するために遅延エレメント７１８を構成する役割を果たす。例えば、遅延エレメント７１８は、セレクタ７１２に何が接続されているかに依存して外部で生成されたクロック信号のｍ×（３６０÷（Ｍ＋１））度の位相シフトを提供するよう構成されえ、ここにおいて、ｍは、充電ＩＣ７０２が合計Ｍ個のスレーブデバイスの中でｍ番目のスレーブデバイスであると識別する。
【００４１】
[0055]充電ＩＣ７０２は、その制御およびクロック信号を内部で生成せず、むしろ充電ＩＣの外部に存在するソースからそれらを取得するという点において「スレーブオンリー」である。制御信号およびクロック信号が常に外部で生成されることから、スレーブオンリー充電ＩＣ７０２は、フィードバックネットワークおよびクロックを備える回路を省略することができる。同様に、スレーブオンリー充電ＩＣ７０２は、デバイスが入力電流を感知する必要がないことから、入力ＦＥＴおよびバッテリＦＥＴを省略することができる。これは、特に入力およびバッテリＦＥＴがダイ上においてかなりのエリアを占有することができる電力ＦＥＴであることから、より小さいデバイスおよび／またはより低コストなデバイスに関して有利であることができる。
【００４２】
[0056]いくつかの実施形態において、スレーブオンリー充電ＩＣ７０２は、性能を向上させるために追加の回路を含みうる。例示されていないが、例えば、スレーブオンリー充電ＩＣは、ピーク電流制限のためにインダクタ電流感知回路を含みうる。別の例として、スレーブオンリー充電ＩＣは加えて、接合部温度が最大動作限界値を上回らないことを確実にするために熱ループを含みうる。
【００４３】
[0057]これから論述は、デュアル入力二相マスタースレーブ構成の説明へと移る。図８Ａ、８Ｂ、および８Ｃを参照すると、本開示にしたがった充電ＩＣはさらに、ＦＥＴＣＴＲＬ端子を含みうる。図８Ａは、デュアル入力マスターとして構成された充電ＩＣ８０２ａを示す。特定の実施形態において、例えば、デュアル入力マスター構成は、１００ＫΩ抵抗器を備える選択インジケータ１８で示されうる。図８Ｂは、スレーブモードで動作する、デュアル入力スレーブとして構成された充電ＩＣ８０２ｂを示す。図８Ｃは、マスターモードで動作する充電ＩＣ８０２ｂを示す。特定の実施形態において、デュアル入力スレーブ構成は、２００ＫΩ抵抗器を備える選択インジケータ１８を使用して示されうる。本構成は、２つの電圧入力が存在するという点において「デュアル入力」である。例えば図８Ａ〜８Ｃ内において例示されるように、第１の電圧入力（例えば、ＵＳＢＩＮ）は、デュアル入力マスター８０２ａに接続され、第２の電圧入力（例えば、ＤＣＩＮ）は、ＤＣＩＮ ＦＥＴ８１２を介してデュアル入力スレーブ８０２ｂに接続されうる。
【００４４】
[0058]動作において、デュアル入力マスター８０２ａのＵＳＢＩＮ端子上において電圧が存在する場合、デュアル入力構成の充電ＩＣ８０２ａおよび８０２ｂは、上記で説明されたようにマスター／スレーブモードで動作する。例えば、デュアル入力マスター８０２ａは、マスターによって使用され、ＣＯＮＴＲＯＬ端子を介して（図８Ｂの）スレーブに供給されるフィードバック制御信号８０２を生成する。同様に、デュアル入力マスター８０２ａは、マスターによって使用され、ＣＬＫ端子を介してスレーブに供給されるクロック信号８０４を生成する。図８Ｂ内において示されるデュアル入力スレーブ８０２ｂは、そのＰＷＭドライバ回路を制御するために外部から供給された制御信号８０２およびクロック信号８０４を使用する。加えて、デュアル入力マスター８０２ａは、デュアル入力スレーブ８０２ｂに接続されたＤＣＩＮ ＦＥＴ８１２をＯＦＦにするためにＦＥＴＣＴＲＬをアサートする（例えば、ハイＺになる）。これは、デュアル入力スレーブ８０２ｂのＵＳＢＩＮ（ＤＣＩＮ）端子から（存在する場合に）ＤＣＩＮ電圧ソースを電気的に隔離する役割を果たす。デュアル入力マスター８２０ａは、スレーブモードで動作するためにデュアル入力スレーブ８０２ｂにシグナリングするようＦＥＴＤＲＶをアサートする（例えば、ＨＩＧＨをプルする）。
【００４５】
[0059]デュアル入力マスター８０２ａのＵＳＢＩＮ端子上において電圧が存在しない場合、マスターは、バッテリ充電を遂行しない。デュアル入力マスター８０２ａは、ＤＣＩＮ電圧ソースからの電流フローを可能するためにＤＣＩＮ ＦＥＴ８１２をＯＮにするようＦＥＴＣＴＲＬをアサートする（例えば、ＬＯＷになる）であろう。デュアル入力スレーブ８０２ｂは、そのＵＳＢＩＮ端子上において提供されたＤＣＩＮ入力を使用してバッテリ充電を遂行するためにマスターモードで動作する。デュアル入力スレーブ８０２ｂのこのマスター動作モードは、図８Ｃ内において例示される。とりわけ、デュアル入力スレーブ８０２ｂは、デュアル入力マスター８０２ａがバッテリ充電を遂行していないことから、そのＣＯＮＴＲＯＬおよびＣＬＫ端子上において外部の制御信号またはクロック信号を受信しない。代わりに、デュアル入力スレーブ８０２ｂは、それ自体の制御およびクロック信号を生成し、マスターモードでＤＣＩＮからのバッテリ充電を遂行する。
【００４６】
[0060]これから論述は、２つの電圧ソース入力のために構成された本開示の充電ＩＣを、マスターデバイスとして、使用する多相マスタースレーブ構成の説明へと移る。図９は、スレーブモード動作のために構成された充電ＩＣ９０４で構成されたデュアル入力充電ＩＣ９０２を例示する。境界ボックス（bounding box）９００は、デバイス９０４およびデバイス９０２の一部が図４Ａおよび４Ｂ内において例示されるように構成されることを示すために使用される。いくつかの実施形態において、デバイス９０２は、常にマスターモードで動作するよう構成されうる。デバイス９０４は、スレーブがオン−ザ−ゴー（ＯＴＧ：on-the-go）モードで動作しうることを示すために１ｋΩ抵抗器を備える選択インジケータで構成されうる。
【００４７】
[0061]動作において、ＵＳＢＩＮから充電する場合、デバイス９０２、９０４は、前述の実施形態内において説明されたようにバッテリ２２の多相充電を提供するためにマスター／スレーブモードで動作しうる。しかしながら、デバイス９０２がＤＣＩＮから充電している場合、デバイス９０４は、ＯＴＧモードで動作するようシグナリングされうる。例えば、デバイス９０４は、集積回路間（Ｉ２Ｃ：Inter-Integrated Circuit）通信プロトコルを介してコマンドを受信するために（示されていない）インターフェース回路を含みうる。任意の他の適したシグナリングが使用されうることは、もちろん認識されるであろう。
【００４８】
[0062]ＯＴＧモードにおいて、デバイス９０４は、直接ＵＳＢＩＮ端子にバッテリ２２から電力を供給する。図９は、動作のこの「ＯＴＧ」モードの２つの異なる電流フロー９１２、９１４を例示する。フロー９１２は、バッテリ２２を充電するためのデュアル入力充電ＩＣ９０２からの充電電流を表す。フロー９１４は、バッテリ２２からデバイス９０２のＵＳＢＩＮ端子への電流を表す。デバイス９０２からの制御およびクロック信号は、そのそれぞれのＣＯＮＴＲＯＬおよびＣＬＫ端子上において供給されうるが、信号は、ＯＴＧモードのデバイス９０４によって使用されないことに留意されたい。
【００４９】
[0063]図１０は、本開示にしたがったバッテリ充電デバイス１００２ａ、１００２ｂの別の構成を示す。バッテリ充電デバイス１００２ａ、１００２ｂは、バックコンバータとして構成されうる。各バッテリ充電デバイスのインダクタＬおよび出力キャパシタＣは、外部コンポーネントとして図示されるが、いくつかの実施形態において、それらは内部であることができる。各バッテリ充電デバイス（例えば、１００２ａ）は、そのバッテリ充電動作を制御するために制御回路１０１２を含みうる。制御回路１０１２の追加の詳細は、下記において与えられる。単に例として、バッテリ充電デバイス（例えば、１００２ａ）は、ＳＭＢ１３５７切り替えモードバッテリ充電ＩＣコンポーネントでありうるが、それは、クゥアルコム・インコーポレイテッドによって製造および販売されている。別の例として、バッテリ充電デバイスは、ＰＭｉ８９９４電力管理ＩＣコンポーネント内においてバッテリ充電回路を使用しうるが、それもまた、クゥアルコム・インコーポレイテッドによって製造および販売されている。
【００５０】
[0064]本開示にしたがって、バッテリ充電デバイス（例えば、１００２ａ）は、ＳＴＡＴ（状態）出力または他の同等のインジケータを含みうる。ＳＴＡＴ出力は、バッテリ充電デバイスが充電している（例えば、論理ＨＩ）または充電していない（例えば、論理ＬＯ）かどうかを示す信号を出力しうる。例えば、バッテリ充電デバイスがフォルト（fault）状態（例えば、過温度イベント、充電タイマのタイムアウト、等）を検出した場合、デバイスは、バッテリ充電を停止し、それに応じてＳＴＡＴ出力をアサートしうる。いくつかの実施形態において、ＳＴＡＴ出力は、単にバッテリ充電デバイスが充電しているか否かよりも多くの情報を（デジタルにまたはアナログで）提供しえ、例えば、ＳＴＡＴ出力は、フォルトイベントを示す情報を提供しうる。
【００５１】
[0065]バッテリ充電デバイスは、ＥＮ入力またはバッテリ充電デバイスの動作を有効または無効にする他の同等の有効制御入力を含みうる。例えば、ＥＮ入力上においてアサートされた論理ＨＩは、バッテリ充電デバイスの動作を有効にしうるが、その一方で論理ＬＯは、バッテリ充電デバイスの動作を無効にする役割を果たしうる。いくつかの実施形態において、バッテリ充電動作は、ＥＮ入力をアサートすることによって開始されうる。後にＥＮ入力をデアサートすることは、バッテリ充電動作を早まって終了するか、または強制終了するために使用されることができる。
【００５２】
[0066]図１０は、本開示のいくつかの実施形態にしたがったバッテリ充電デバイス１００２ａ、１００２ｂの構成を例示する。バッテリ充電デバイス１００２ａ、１００２ｂの充電出力ＣＨＧＯＵＴは、接続部２４（例えば、バッテリ端子）を介してバッテリ２２に接続可能でありうる。バッテリ充電デバイス１００２ａのＳＴＡＴ出力は、バッテリ充電デバイス１００２ｂのＥＮ入力に接続されうる。
【００５３】
[0067]いくつかの実施形態において、２つよりも多くのバッテリ充電デバイスは、本開示にしたがって構成されることができる。図１０Ａは、例えば、３つのバッテリ充電デバイス１００２ａ、１００２ｂ、１００２ｃを備える構成を例示する。各バッテリ充電デバイス１００２ａ〜１００２ｃのＣＨＧＯＵＴは、（例えば、接続部２４を介して）バッテリ２２に接続されうる。バッテリ充電デバイス１００２ａのＳＴＡＴ出力は、バッテリ充電デバイス１００２ｂおよび１００２ｃのＥＮ入力に接続されうる。マスターデバイスは、例えば、マスターデバイスがフォルトイベントを検出したことに応答して、そのＳＴＡＴ出力を使用してスレーブデバイスを無効にすることができるという理由から、図１０および１０Ａにおいて、バッテリ充電デバイス１００２ａは、マスターまたはプリンシプルデバイスと呼ばれ、図１０Ａ内におけるバッテリ充電デバイス１００２ｂおよびバッテリ充電デバイス１００２ｃは、スレーブまたはセカンダリデバイスと呼ばれうる。
【００５４】
[0068]いくつかの実施形態において、同じパーツ（例えば、ＳＭＢ１３５７）が、バッテリ充電デバイス１００２ａ〜１００２ｃの各々を実装するために使用されうる。他の実施形態において、バッテリ充電デバイス１００２ａ〜１００２ｃは、異なるパーツ、例えば、同じ製造者からの異なるパーツ、異なる製造者からのパーツ、等を使用して実装されうる。図面は、バッテリ充電デバイス１００２ａ〜１００２ｃがバックコンバータであると示しているが、バッテリ充電デバイスは、任意の切り替えモード電圧調整の設計を使用することができ、一般に任意の適した電圧調整回路で構成されることができることが認識されるであろう。
【００５５】
[0069]図１１は、本開示のいくつかの実施形態にしたがった充電回路１１０２の追加の詳細を示す。いくつかの実施形態において、充電回路１１０２は、インダクタＬおよびキャパシタＣと連動して動作するバック制御回路１１１２を備えるバックコンバータを含みうる。インダクタＬおよびキャパシタＣのコンポーネントは、充電回路１１０２内においてオンチップで提供されうる。典型的に、しかしながら、これらのコンポーネントは、設計における柔軟性、等を可能にするよう、より良い性能のデバイスを提供するために（例えば、セミコンダクタインダクタは典型的に、磁気コアインダクタほど良く機能しない）、コンポーネントの物理的サイズのような実際的な理由により充電デバイス１１０２の外部に存在する。他の実施形態において、充電回路１１０２がバックコンバータの設計以外の電圧レギュレータを用いうることもまた認識されるであろう。
【００５６】
[0070]コントローラ１１１４は、様々な制御機能を提供しうる。例えば、コントローラ１１１４は、温度センサ、タイマ、電流センサ、等のような（示されていない）他の回路から入力を受信しうる。コントローラ１１１４は、バッテリ充電の停止またはそうでなければ無効を必要としうるフォルトイベントを検出するために入力を使用しうる。コントローラ１１１４は、例えば、充電デバイス１１０２を組み込む電子デバイス（例えば、図１の５０）がフォルトイベントのユーザにシグナリングすることができるように、ＳＴＡＴ出力上において信号をアサートしうる（例えば、論理ＨＩ）。単に例示的な例として、フォルトイベントは、過度な周囲温度、充電タイマのタイムアウト、過度な電流フロー、充電動作中に切断されたバッテリの接続、等を含みうる。
【００５７】
[0071]コントローラ１１１４は、バッテリ電圧しきい値１１１４ａを記憶するために（示されていない）データ記憶装置を含むか、またはそうでなければデータ記憶装置へのアクセスを有しうる。データ記憶装置は、データレジスタまたは他の適したデータ記憶エレメントでありうる。コントローラ１１１４は、バッテリしきい値電圧値１１１４ａをプログラムするか、またはそうでなければバッテリしきい値電圧値１１１４ａを設定するためにプログラミング入力（ＰＧＭ）を含みうる。
【００５８】
[0072]充電回路１１０２は、バックコンバータの出力ＶＯＵＴと回路の充電出力ＣＨＧＯＵＴとの間で接続されたバッテリＦＥＴ１１１６を含みうるが、ここにおいて、充電出力は、充電されるべきバッテリに接続されることができる。いくつかの実施形態において、バッテリＦＥＴ１１１６は、Ｎチャネルデバイスであり、他の実施形態においてはＰチャネルデバイスでありうる。図１１の例示的な実施形態は、例えば、ＮＭＯＳ型バッテリＦＥＴ１１１６を示す。バッテリＦＥＴ１１１６のドレイン端子は、バックコンバータの出力に接続され、ソース端子は、充電されるべきバッテリに接続可能である。コントローラ１１１４は、例えば、バッテリＦＥＴゲート端子にコントローラの制御出力を接続することによって、バッテリＦＥＴ１１１６を制御するために使用されることができる制御出力を含みうる。下記において説明されるように、バッテリＦＥＴ１１１６は、バッテリ充電動作の制御を可能にする。
【００５９】
[0073]充電回路１１０２は、充電されるべきバッテリのバッテリ電圧レベルを感知するか、またはそうでない場合は検出するために電圧感知回路１１１８（電圧センサ）を含みうる。少しの間図１１Ａを参照すると、バッテリ電圧感知回路１１１８は、いくつかの実施形態において、抵抗器除算器ネットワークＲ１／Ｒ２によってピックアップされたバッテリ電圧を基準電圧１１２４と比較するために比較器１１２２を含みうる。比較器出力は、検出されたバッテリ電圧レベルに基づいてバッテリ充電動作を制御するためにコントローラ１１１４に提供されうる。電圧基準１１２４は、プログラマブルであり、いくつかの実施形態において、記憶されたバッテリしきい値電圧値１１１４ａにしたがってコントローラ１１１４によって設定されうる。
【００６０】
[0074]いくつかの実施形態において、バッテリ充電動作は、定電圧充電状態（定電圧モード）が続く定電流充電状態（定電流モード）を含みうる。コントローラ１１１４は、第１の充電状態、定電流モードでバッテリ充電動作を開始しうる。（例えば、電圧感知回路１１１８によって検出された）バッテリ電圧がバッテリ電圧しきい値を上回る場合、コントローラ１１１４は後に、バッテリ充電動作を第２の充電状態、定電圧モードに切り替えうる。
【００６１】
[0075]他の実施形態において、バッテリ充電動作は、単一の充電状態、例えば、定電流充電のみを含みうる。さらにほかの実施形態において、バッテリ充電動作は、充電の多数の状態を含みうる。
【００６２】
[0076]いくつかの実施形態において、コントローラ１１１４は、定電流モード充電中に定電流出力を維持するためにバックコンバータを制御することによってバッテリ充電動作を統合しうる（orchestrate）。コントローラ１１１４は、いつ定電圧充電に切り替えるかを決定するためにバッテリ条件（例えば、バッテリ電圧）をモニタすることができるが、その時点においてコントローラは、定電圧モード充電のために定電圧出力を維持するようバックコンバータを制御することができる。
【００６３】
[0077]充電回路１１０２は、ＳＴＡＴ出力を含みうる。いくつかの実施形態において、コントローラ１１１４は、フォルトイベントの発生に関して充電回路１１０２内における他の条件をモニタしうる。コントローラ１１１４は、フォルトイベントが発生したと決定することに応答してＳＴＡＴ出力上において適した（デジタルまたはアナログ）信号をアサートしうる。充電回路１１０２を組み込む電子デバイス内における外部回路は、例えば、ユーザに警告する、アラームをトリガする、等、それに応じて信号を処理しうる。他の実施形態において、コントローラ１１１４以外のまたはそれに加えた回路は、フォルトイベントを検出し、ＳＴＡＴ出力をアサートしうる。
【００６４】
[0078]充電回路１１０２は、ＥＮ入力を含みうる。上記で説明されたように、ＥＮ入力は、バッテリ充電動作が遂行されることができるか否かを充電回路１１０２に伝えるために使用されうる。充電回路１１０２の外部に存在する回路は、バッテリ充電が望まれない場合にＥＮ入力上において（デジタルまたはアナログ）信号をアサートすることができる。いくつかの実施形態において、コントローラ１１１４は、信号を受信し、それに応答してバッテリ充電動作を無効にしうる。他の実施形態において、コントローラ１１１４以外の回路が用いられうる。
【００６５】
[0079]図１２は、例えば、図１１内において示されるような回路を使用して、本開示にしたがったバッテリ充電回路１２００を示す。バッテリ充電回路１２００は、充電回路１２０２および１２０４を備えうる。いくつかの実装において、同じデバイスが充電回路１２０２および１２０４に対して使用されうる。他の実装において、異なるデバイスが充電回路１２０２および１２０４に対して使用されうるが、例えば、デバイスは同じパーツである必要はなく、異なる製造者からのパーツでさえありうる。説明の目的のために、しかしながら、図１２は、充電回路１２０２を充電回路１２０４と同じであるように示す。
【００６６】
[0080]バッテリ充電回路１２００は、充電されるべきバッテリ１２２２に接続可能であるバッテリ端子１２２４を含みうる。充電回路１２０２および充電回路１２０４の充電出力ＣＨＧＯＵＴは、バッテリ端子１２２４においてともに接続されうる。充電回路１２０２、１２０４がバッテリ充電動作を遂行している場合、各充電回路のバックコンバータからの電力は、バッテリ１２２２に供給されることができる。
【００６７】
[0081]充電回路１２０２のＳＴＡＴアウトは、充電回路１２０４のＥＮ入力に接続されうる。充電回路１２０２がフォルトイベントを検出し、ＳＴＡＴアウト上において適した信号をアサートする場合に充電回路１２０２が充電回路１２０４（スレーブまたはセカンダリデバイス）を無効にすることができるため、充電回路１２０２は、マスターまたはプライマリデバイスと見なされうる。
【００６８】
[0082]さらに本開示にしたがって、マスターデバイス（例えば、充電回路１２０２）は、スレーブデバイス（例えば、充電回路１２０４）のよりも高いバッテリしきい値電圧値でプログラムされうる。図１２内に示される特定の例示的な実施形態において、例えば、マスターデバイスは、４．３５Ｖのバッテリしきい値電圧値でプログラムされ、スレーブデバイスは、４．３３Ｖのバッテリしきい値電圧値でプログラムされる。
【００６９】
[0083]動作において、（例えば、充電回路１２０２、１２０４の両方のＥＮ入力をアサートすることによって）バッテリ充電回路１２００がバッテリ充電動作を開始する場合、充電回路は、定電流充電状態で開始することができる。図１３Ａを参照すると、バックコンバータは、定電流モードで動作し、定電流ソース１３０２が図内において図示される電流Ｉをバッテリ１２２２に供給する際に効果的に動作しうる。充電のこの状態中に、充電回路１２０２、１２０４の両方からの電流Ｉは、バッテリ１２２２にフローし、それによって、バッテリを充電する。図１２内において例示されるように、いくつかの実施形態において、各充電回路１２０２、１２０４からの電流フローは、同じでありうる。他の実施形態において、電流フローは、異なりうる。
【００７０】
[0084]充電回路１２０２、１２０４からの電流がバッテリ１２２２にフローすると、バッテリは充電を開始し、バッテリ電圧ＶＢＡＴＴが上昇し始める。バッテリ電圧がバッテリしきい値を超過するまたは超える場合、コントローラ１１１４は後に、バッテリ充電動作の次の状態を切り替えうる。１つの充電状態（例えば、定電流モード）しか存在しない場合、次の状態は、終了状態である。いくつかの実施形態において、バッテリ充電動作が定電流充電状態および定電圧充電状態を含む場合、コントローラ１１１４は、バッテリ充電動作を定電流充電から定電圧充電に切り替えることができる。
【００７１】
[0085]図１３Ｂは、バッテリ充電動作が定電流状態および定電圧状態を含む実施形態の例を例示する。示される例において、マスターデバイス（充電回路１２０２）は、４．３５Ｖのバッテリしきい値電圧値を有するよう構成され、スレーブデバイス（充電回路１２０４）は、４．３３Ｖのバッテリしきい値電圧値で構成される。それ故に、バッテリ電圧ＶＢＡＴＴが（図１３Ａの）４．３３Ｖ未満から４．３３Ｖに増加し、４．３３Ｖを超えると、スレーブデバイス内におけるコントローラ１１１４は、４．３３Ｖを超えたことを検出することができ、それ応じて、定電流充電から定電圧受電に切り替わることができる。スレーブデバイス内におけるコントローラ１１１４は、例えば、スレーブデバイス内において設定されたバッテリしきい値電圧値に基づいて決定された４．３３Ｖの定電圧出力を提供するために、図内において図示されるように、定電圧ソース１３０４として動作するようバックコンバータの動作を制御することができる。
【００７２】
[0086]同時に、マスターデバイス内におけるバックコンバータは、定電流ソースとして動作し続ける。マスターデバイスからの電流がバッテリ１２２２にフローし続けるにつれて、バッテリ電圧ＶＢＡＴＴは、４．３３Ｖよりも大きい値に上昇し続ける。バッテリＦＥＴ１１１６のソースおよびドレインにわたる結果として生じる電圧差は、最終的にバッテリＦＥＴをＯＦＦにするであろう、増加するピンチオフ効果を生み出すであろう。スレーブデバイス内におけるコントローラ１１１４がこの条件を検出する場合、スレーブデバイス内におけるバッテリ充電動作を終了する（例えば、バックコントローラ１１１２を無効にする）ことができる。この条件は、図１３Ｃ内において示されるが、ここにおいて、マスターデバイスのみがバッテリ充電動作を遂行しており、スレーブデバイスは、オフにされたように概略的に図示される。
【００７３】
[0087]マスターデバイスは、バッテリ電圧ＶＢＡＴＴがバッテリしきい値電圧値を過ぎるまで定電流モードで充電を続けるであろう。図１３Ｄを参照すると、ＶＢＡＴＴがバッテリしきい値電圧値（例えば４．３５Ｖ）を過ぎたことに応答して、マスターデバイス内におけるコントローラ１１１４は、定電流充電から定電圧充電に切り替わることができる。コントローラ１１１４は、例えば、バッテリしきい値電圧値に基づいて決定された４．３５Ｖの定電圧出力を提供するために、図１３Ｄ内において図示されるように、定電圧ソース１３０４として動作するようマスターデバイス内におけるバックコンバータの動作を制御することができる。コントローラ１１１４は、その後、バッテリ電圧ＶＢＡＴＴが最終値を上回った後でバッテリ充電動作を終了しうる。
【００７４】
[0088]いくつかの実施形態において、バッテリ充電回路１２００は、２つ以上のスレーブデバイスを備えることができる。各追加のスレーブデバイスは、他のスレーブデバイスよりも小さいバッテリしきい値電圧値で構成されることができる。単に例として、バッテリ充電回路が２つのスレーブデバイスを備える場合、スレーブデバイスに関するバッテリしきい値電圧値は、４．３３Ｖおよび４．３１Ｖであり、マスター回路に関しては、４．３５Ｖでありうる。
【００７５】
[0089]それ故に、そのような実施形態において、４．３１Ｖのスレーブデバイスは、バッテリ電圧が４．３１Ｖに達し、上回った後で、まず定電流モードから定電圧モードに切り替わりうる。バッテリが充電し続けるにつれて、その電圧は上昇し続けるであろう。４．３１Ｖのスレーブ回路のバッテリＦＥＴ内におけるピンチオフは、充電回路をオフにさせ、マスター回路および４．３３Ｖのスレーブ回路を、バッテリを充電したままにしうる。
【００７６】
[0090]バッテリは、充電し続け、その電圧は、４．３３Ｖに達し、上回るであろう。これは、４．３３Ｖのスレーブ回路を定電流モードから定電圧モードに切り替わらせうる。バッテリが充電し続けるにつれて、その電圧は上昇し続けるであろう。４．３３Ｖのスレーブ回路のバッテリＦＥＴ内におけるピンチオフは、充電回路をオフにさせ、マスター回路のみを、バッテリを充電したままにしうる。上記で説明されたように、最終的にマスター回路は、定電圧モードになり、最終的にオフになるであろう。  
利点および技術的効果
[0091]充電回路（例えば、１２０２）の各々は、バッテリを充電することが可能である。本開示の有利な態様は、２つ以上の充電回路（例えば、１２０２、１２０４）がバッテリに充電電流を寄与するために組み合されることができるため、バッテリ充電回路が定電流モード中に高速充電を提供することができるということである。スレーブデバイス（例えば、１２０４）がマスターデバイス（例えば、１２０２）よりも前に定電流モードから定電圧モードに切り替わることから、スレーブデバイスは、マスターデバイスが定電圧モード充電になる前に上記で説明されたようにオフになりうる。これは、互いに接続された２つの電圧ソースを有することによる潜在的かつ不利益な効果を避けうる。スレーブデバイスがオフになると、回路内において１つの定電圧ソースしか存在しないことを確実にすることができる。
【００７７】
[0092]上記の説明は、どのように特定の実施形態の態様が実装されうるかの例とともに、本開示の様々な実施形態を例示する。上記の例は、唯一の実施形態であると見なされるべきではなく、以下の特許請求の範囲によって定義される特定の実施形態の柔軟性および利点を例示するために提示された。上記の開示および以下の特許請求の範囲に基づいて、他の配置、実施形態、実装および同等物が、特許請求の範囲によって定義される本開示の範囲から逸脱することなしに用いられうる。
【００７８】
[0093]特許請求の範囲は以下の通りである。
以下に、出願当初の特許請求の範囲に記載された発明を付記する。
［Ｃ１］
第１および第２の充電回路を備え、各充電回路は、バッテリに接続可能である充電出力を有し、前記充電出力に電力を供給するための電圧レギュレータと、バッテリ電圧しきい値と、前記バッテリ電圧しきい値と相対的な検出されたバッテリ電圧に基づいてバッテリ充電動作の充電状態を変更するよう動作可能であるコントローラとを備え、
前記第１の充電回路の前記充電出力は、前記第２の充電回路の前記充電出力に接続され、
前記第１の充電回路の前記バッテリ電圧しきい値は、前記第２の充電回路内における前記バッテリ充電動作が前記第１の充電回路内における前記バッテリ充電動作より前に終了するように、前記第２の充電回路の前記バッテリ電圧しきい値よりも高い値に設定される、
バッテリ充電回路。
［Ｃ２］
前記第１の充電回路は、状態出力をさらに備え、前記第１の充電回路内における前記コントローラは、前記第１の充電回路がフォルトイベントを検出したことに応答して前記状態出力上において信号をアサートするよう動作可能であり、
前記第２の充電回路は、前記状態出力に接続された有効制御入力をさらに有し、前記第２の充電回路内における前記コントローラは、前記有効制御入力上においてアサートされた信号に応答して前記第２の充電回路内における充電動作を無効にするよう動作可能であり、
それによって、前記第１の充電回路によって検出されたフォルトイベントは、前記第２の充電回路内において前記充電動作を無効にすることができる、
Ｃ１に記載の回路。
［Ｃ３］
前記第１および第２の充電回路の各々内における前記電圧レギュレータは、バックコンバータを備える、
Ｃ１に記載の回路。
［Ｃ４］
少なくとも前記第２の充電回路の前記電圧レギュレータは、前記電圧レギュレータの出力に接続された電界効果トランジスタ（ＦＥＴ）デバイスを備え、前記充電出力は、前記ＦＥＴデバイスの出力である、
Ｃ１に記載の回路。
［Ｃ５］
前記第１および第２の充電回路内において、前記バッテリ充電動作は、定電流充電状態および定電圧充電状態を含む、
Ｃ１に記載の回路。
［Ｃ６］
前記第１の充電回路内において、前記コントローラは、前記検出されたバッテリ電圧が前記第１の充電回路の前記バッテリ電圧しきい値を上回ったことに応答して前記バッテリ充電動作の前記充電状態を定電流充電状態から定電圧充電状態に変更するよう動作可能であり、前記第２の充電回路内において、前記コントローラは、前記検出されたバッテリ電圧が前記第２の充電回路の前記バッテリ電圧しきい値を上回ったことに応答して前記バッテリ充電動作の前記充電状態を定電流充電状態から定電圧充電状態に変更するよう動作可能である、
Ｃ１に記載の回路。
［Ｃ７］
前記第１および第２の充電回路は各々、前記バッテリ充電回路に接続されたバッテリの電圧レベルを感知するよう動作可能である電圧センサをさらに備える、
Ｃ１に記載の回路。
［Ｃ８］
充電出力を備える第１の充電回路と、
充電出力を備える第２の充電回路と、
充電されるべきバッテリに接続可能であるバッテリ端子と
を備え、前記第１の充電回路の前記充電出力は、前記バッテリ端子に接続され、前記第２の充電回路の前記充電出力は、前記バッテリ端子に接続され、
前記第１の充電回路は、検出されたバッテリ電圧レベルが第１のしきい値電圧レベルを過ぎたことに応答してバッテリ充電動作の充電状態を変更するよう構成され、
前記第２の充電回路は、検出されたバッテリ電圧レベルが前記第１のしきい値電圧レベルよりも低い第２のしきい値電圧レベルを過ぎたことに応答してバッテリ充電動作の充電状態を変更するよう構成される、
回路。
［Ｃ９］
前記第１の充電回路は、フォルトイベントの発生を示す状態出力をさらに備え、前記第２の充電回路は、前記第２の充電回路内においてバッテリ充電動作を有効または無効にするために有効制御入力をさらに備え、前記第１の充電回路の前記状態出力は、前記第２の充電回路の前記有効制御入力に接続される、
Ｃ８に記載の回路。
［Ｃ１０］
前記第１の充電回路および前記第２の充電回路内において、前記バッテリ充電動作は、定電流充電状態および定電圧充電状態で動作する、
Ｃ８に記載の回路。
［Ｃ１１］
前記第１の充電回路内における前記バッテリ充電動作は、前記定電流充電状態で開始し、前記検出されたバッテリ電圧レベルが前記第１のしきい値レベルを上回った後に前記定電圧充電状態に切り替わり、前記第２の充電回路内における前記バッテリ充電動作は、前記定電流充電状態で開始し、前記検出されたバッテリ電圧レベルが前記第２のしきい値レベルを上回った後に前記定電圧充電状態に切り替わる、
Ｃ１０に記載の回路。
［Ｃ１２］
前記第１の充電回路および前記第２の充電回路は各々、前記それぞれの充電出力によって充電電力出力を生成するためにそれぞれの電圧レギュレータをさらに備える、
Ｃ８に記載の回路。
［Ｃ１３］
前記第１の充電回路および前記第２の充電回路は各々、前記それぞれの電圧レギュレータの出力に接続されたそれぞれのバッテリＦＥＴをさらに備え、前記第１の充電回路の前記バッテリＦＥＴの出力および前記第２の充電回路の前記バッテリＦＥＴの出力は、前記バッテリ端子に接続される、
Ｃ１２に記載の回路。
［Ｃ１４］
各それぞれの電圧レギュレータは、バックコンバータである、
Ｃ１２に記載の回路。
［Ｃ１５］
電力を生成するための第１の手段と、前記第１の手段は、充電されるべきバッテリに電力を供給するための出力手段を備える、電力を生成するための第２の手段と
を備え、前記第２の手段は、充電されるべきバッテリに電力を供給するための出力手段を備え、
前記第１の手段の前記出力手段および前記第２の手段の前記出力手段は、共に接続され、
前記第１の手段は、第１のバッテリしきい値電圧値と相対的な検出されたバッテリ電圧値に基づいてそのバッテリ充電動作を制御するための手段をさらに備え、
前記第２の手段は、第２のバッテリしきい値電圧値と相対的な前記検出されたバッテリ電圧値に基づいてそのバッテリ充電動作を制御するための手段をさらに備え、
前記第１のバッテリしきい値電圧値は、前記第２のバッテリしきい値電圧値とは異なる、
回路。
［Ｃ１６］
前記第２の手段における前記バッテリ充電動作は、前記第１の手段における前記バッテリ充電動作より前に終了する、
Ｃ１５に記載の回路。
［Ｃ１７］
前記第１の手段および第２の手段は各々、電圧レギュレータを含む、
Ｃ１５に記載の回路。
［Ｃ１８］
前記第１の手段および第２の手段における前記電圧レギュレータは、バックレギュレータである、
Ｃ１７に記載の回路。
［Ｃ１９］
前記第１の手段および第２の手段は各々、バッテリ電圧を検出するための電圧センサを含む、Ｃ１５に記載の回路。
［Ｃ２０］
前記第１の手段および前記第２の手段における前記バッテリ充電動作は各々、定電流モードおよび定電圧モードを含む、
Ｃ１５に記載の回路。
［Ｃ２１］
前記第１の手段および前記第２の手段における前記バッテリ充電動作は各々、前記定電流モードで開始し、後に前記定電圧モードに切り替わる、
Ｃ２０に記載の回路。
［Ｃ２２］
前記第１の手段および前記第２の手段における前記バッテリ充電動作は、各々、前記検出されたバッテリ電圧値が、それぞれ、前記第１のバッテリしきい値電圧値および前記第２のバッテリ電圧値を上回ったことに応答して、前記定電流モードから前記定電圧モードに切り替わる、
Ｃ２０に記載の回路。
【図１】
0006392327.tif 000002
【図１Ａ】
0006392327.tif 000003
【図１Ｂ】
0006392327.tif 000004
【図２】
0006392327.tif 000005
【図３】
0006392327.tif 000006
【図４Ａ】
0006392327.tif 000007
【図４Ｂ】
0006392327.tif 000008
【図５Ａ】
0006392327.tif 000009
【図５Ｂ】
0006392327.tif 000010
【図５Ｃ】
0006392327.tif 000011
【図６】
0006392327.tif 000012
【図７】
0006392327.tif 000013
【図８Ａ】
0006392327.tif 000014
【図８Ｂ】
0006392327.tif 000015
【図８Ｃ】
0006392327.tif 000016
【図９】
0006392327.tif 000017
【図１０】
0006392327.tif 000018
【図１０Ａ】
0006392327.tif 000019
【図１１】
0006392327.tif 000020
【図１１Ａ】
0006392327.tif 000021
【図１２】
0006392327.tif 000022
【図１３Ａ】
0006392327.tif 000023
【図１３Ｂ】
0006392327.tif 000024
【図１３Ｃ】
0006392327.tif 000025
【図１３Ｄ】
0006392327.tif 000026